(57)【要約】【課題】色調や模様等のバリエーションを高めて、意匠性を向上させることができる屋根を提供すること。【解決手段】屋根３は、前側へ行くに従って下方へ傾斜した屋根本体１０と、屋根本体１０の前側の縁部に取り付けられる雨樋部２０とを備える。雨樋部２０は、前枠１２と一体的に形成された軒樋部２１と、取付部材２２を介して軒樋部２１の外周側に取り付けられた化粧部材２３とを備える。化粧部材２３の外側表面には、種々の色調や、木目調等の様々な模様が施された装飾部３５がラミネート加工等されている。【選択図】図２
2006138158.tif 000002
【特許請求の範囲】
【請求項１】
屋根本体と、この屋根本体の縁部に設けられた雨樋部とを備える屋根であって、
前記雨樋部は、前記屋根本体に降り注いだ雨水を流すための軒樋部と、この軒樋部の外周側の少なくとも一部に、直接または間接的に取り付けられる化粧部材とを備えることを特徴とする屋根。
【請求項２】
前記化粧部材は、取付部材を介して前記軒樋部に取り付けられ、
この取付部材は、前記軒樋部の雨水の流れに関与しない部分に取り付けられていることを特徴とする請求項１に記載の屋根。
【請求項３】
前記化粧部材は、前記軒樋部の長手方向に沿って間隔をおいて配置された複数の取付部材を介して、前記軒樋部に取り付けられていることを特徴とする請求項１に記載の屋根。
【請求項４】
垂木掛と、この垂木掛に平行な前枠と、前記垂木掛および前枠の端部間に掛け渡された側枠とを有する屋根本体と、この屋根本体の前枠に設けられた雨樋部とを備える屋根であって、
前記雨樋部は、前記屋根本体に降り注いだ雨水を流すための軒樋部と、取付部材を介して前記軒樋部に取り付けられ、前記軒樋部の外周側を覆う化粧部材とを備え、
前記取付部材は、前記軒樋部に沿って形成された取付部材本体と、この取付部材本体から前記軒樋部側へ突出し、前記軒樋部の先端部に係合する第１の係合片と、前記取付部材本体の一端側から前記軒樋部側とは反対側へ突出した突出部と、前記取付部材本体の他端側から前記軒樋部側とは反対側へ突出した第２の係合片とを備え、
前記化粧部材は、前記軒樋部に沿って形成された化粧部材本体と、この化粧部材本体の一端側から前記取付部材側へ突出するとともに、前記突出部に係合する第３の係合片と、前記化粧部材本体の前記第３の係合片よりも他端側から前記取付部材側へ突出するとともに、前記第２の係合片に係合する第４の係合片とを備えることを特徴とする屋根。
【請求項５】
垂木掛と、この垂木掛に平行な前枠と、前記垂木掛および前枠の端部間に掛け渡された側枠とを有する屋根本体と、この屋根本体の前枠に設けられた雨樋部とを備える屋根であって、
前記雨樋部は、前記屋根本体に降り注いだ雨水を流すための軒樋部と、この軒樋部に直接取り付けられ、当該軒樋部の外周側を覆う化粧部材とを備え、
前記化粧部材は、前記軒樋部に沿って形成された化粧部材本体と、この化粧部材本体の一端側から前記軒樋部側へ突出し、前記軒樋部の先端部に係合する第５の係合片と、前記化粧部材本体の他端側で前記前枠に取り付けられる取付部とを備えることを特徴とする屋根。
【請求項６】
垂木掛と、この垂木掛に平行な前枠と、前記垂木掛および前枠の端部間に掛け渡された側枠とを有する屋根本体と、この屋根本体の前枠に設けられた雨樋部とを備える屋根であって、
前記雨樋部は、前記屋根本体に降り注いだ雨水を流すための軒樋部と、取付部材を介して前記軒樋部に取り付けられ、前記軒樋部の外周側の一部を覆うように形成された化粧部材とを備え、
前記取付部材は、前記軒樋部に沿って形成された取付部材本体と、前記取付部材本体の一端側から前記軒樋部側とは反対側へ突出した突出部と、前記取付部材本体の他端側から前記軒樋部側とは反対側へ突出した第２の係合片とを備え、
前記化粧部材は、前記軒樋部に沿って形成された化粧部材本体と、この化粧部材本体の一端側から前記取付部材側へ突出し、前記突出部に取り付けるための一端側取付部と、前記化粧部材本体の前記一端側取付部よりも他端側から前記取付部材側へ突出し、前記第２の係合片に係合する第４の係合片とを備えることを特徴とする屋根。
【発明の詳細な説明】
【技術分野】
【０００１】
本発明は、屋根に関し、特に、色調や模様等のバリエーションを高めて、意匠性を向上させることができる屋根に関する。
【背景技術】
【０００２】
従来、例えば、特許文献１に示すように、テラスやカーポート等の屋根を構成する屋根本体の端縁には、屋根に降り注いだ雨水等を集めて地上へと排水するための雨樋部が設けられている。
【特許文献１】特開平１１−２２９６４８号公報
【発明の開示】
【発明が解決しようとする課題】
【０００３】
ところで、近年では、雨樋部に対して色調や模様等のバリエーションが求められる場合がある。しかしながら、従来の雨樋部は、茶色や黒色等の単一色によるものが一般的であり、外観に配慮したものは殆ど開発されておらず、意匠性に乏しいという問題がある。
【０００４】
本発明の目的は、色調や模様等のバリエーションを高めて、意匠性を向上させることができる屋根を提供することにある。
【課題を解決するための手段】
【０００５】
本発明は、屋根本体と、この屋根本体の縁部に設けられた雨樋部とを備える屋根であって、前記雨樋部は、前記屋根本体に降り注いだ雨水を流すための軒樋部と、この軒樋部の外周側の少なくとも一部に、直接または間接的に取り付けられる化粧部材とを備えることを特徴とする。ここで、前記化粧部材は、前記軒樋部の長手方向に沿って間隔をおいて配置された複数の取付部材を介して、前記軒樋部に取り付けられていてもよい。
【０００６】
本発明によれば、軒樋部に化粧部材を取り付けるようにしたので、一般的に単一色とされていた軒樋部に種々の模様や多様な色調等を施すことができ、軒樋部や屋根の意匠性を向上できる。
【０００７】
また、前記化粧部材は、取付部材を介して前記軒樋部に取り付けられ、この取付部材は、前記軒樋部の雨水の流れに関与しない部分に取り付けられていてもよい。このような構成によれば、取付部材と軒樋部との取付箇所から雨水が漏れることを未然に防止できる。
【０００８】
本発明は、垂木掛と、この垂木掛に平行な前枠と、前記垂木掛および前枠の端部間に掛け渡された側枠とを有する屋根本体と、この屋根本体の前枠に設けられた雨樋部とを備える屋根であって、前記雨樋部は、前記屋根本体に降り注いだ雨水を流すための軒樋部と、取付部材を介して前記軒樋部に取り付けられ、前記軒樋部の外周側を覆う化粧部材とを備え、前記取付部材は、前記軒樋部に沿って形成された取付部材本体と、この取付部材本体から前記軒樋部側へ突出し、前記軒樋部の先端部に係合する第１の係合片と、前記取付部材本体の一端側から前記軒樋部側とは反対側へ突出した突出部と、前記取付部材本体の他端側から前記軒樋部側とは反対側へ突出した第２の係合片とを備え、前記化粧部材は、前記軒樋部に沿って形成された化粧部材本体と、この化粧部材本体の一端側から前記取付部材側へ突出するとともに、前記突出部に係合する第３の係合片と、前記化粧部材本体の前記第３の係合片よりも他端側から前記取付部材側へ突出するとともに、前記第２の係合片に係合する第４の係合片とを備えることを特徴とする。本発明によれば、第１の係合片と先端部との係合や、突出部と第３の係合片との係合、第２の係合片と第４の係合片との係合により、軒樋部に取付部材を介して化粧部材を取り付ける構成としたので、一般的に単一色とされていた軒樋部に種々の模様や色調等を施すことができ、軒樋部や屋根の意匠性を向上できる。
【０００９】
本発明は、垂木掛と、この垂木掛に平行な前枠と、前記垂木掛および前枠の端部間に掛け渡された側枠とを有する屋根本体と、この屋根本体の前枠に設けられた雨樋部とを備える屋根であって、前記雨樋部は、前記屋根本体に降り注いだ雨水を流すための軒樋部と、この軒樋部に直接取り付けられ、当該軒樋部の外周側を覆う化粧部材とを備え、前記化粧部材は、前記軒樋部に沿って形成された化粧部材本体と、この化粧部材本体の一端側から前記軒樋部側へ突出し、前記軒樋部の先端部に係合する第５の係合片と、前記化粧部材本体の他端側で前記前枠に取り付けられる取付部とを備えることを特徴とする。本発明によれば、先端部と第５の係合片との係合や、前枠に取り付けられる取付部により、軒樋部に化粧部材を取り付ける構成としたので、単一色が一般的であった軒樋部に種々の模様や色調等を施すことができ、軒樋部や屋根の意匠性を向上できる。
【００１０】
本発明は、垂木掛と、この垂木掛に平行な前枠と、前記垂木掛および前枠の端部間に掛け渡された側枠とを有する屋根本体と、この屋根本体の前枠に設けられた雨樋部とを備える屋根であって、前記雨樋部は、前記屋根本体に降り注いだ雨水を流すための軒樋部と、取付部材を介して前記軒樋部に取り付けられ、前記軒樋部の外周側の一部を覆うように形成された化粧部材とを備え、前記取付部材は、前記軒樋部に沿って形成された取付部材本体と、前記取付部材本体の一端側から前記軒樋部側とは反対側へ突出した突出部と、前記取付部材本体の他端側から前記軒樋部側とは反対側へ突出した第２の係合片とを備え、前記化粧部材は、前記軒樋部に沿って形成された化粧部材本体と、この化粧部材本体の一端側から前記取付部材側へ突出し、前記突出部に取り付けるための一端側取付部と、前記化粧部材本体の前記一端側取付部よりも他端側から前記取付部材側へ突出し、前記第２の係合片に係合する第４の係合片とを備えることを特徴とする。本発明によれば、突出部に一端側取付部が取り付けられ、第２の係合片と第４の係合片とが係合することにより、取付部材を介して軒樋部に化粧部材を取り付けるようにしたので、単一色が一般的であった軒樋部に種々の模様や色調等を施すことができ、軒樋部や屋根の意匠性を向上できる。
【発明の効果】
【００１１】
本発明の屋根によれば、軒樋部に化粧部材を取り付けるようにしたので、軒樋部に種々の模様や様々な色調等を施すことができ、軒樋部や屋根の意匠性を向上できるという効果がある。
【発明を実施するための最良の形態】
【００１２】
［第１実施形態］
以下、本発明の第１実施形態に係る屋根が適用されたテラスについて、図面を参照して説明する。図１に示すように、テラス１は、躯体２からその外側へ延びる屋根３と、屋根３をその前側（図１中左側；軒先側）で支持する例えば２本の柱４とを備えている。屋根３は、前側へ行くに従って下方へ傾斜した屋根本体１０と、屋根本体１０の前側の縁部に取り付けられた雨樋部２０とを備えている。
【００１３】
屋根本体１０は、後側端部の垂木掛１１と、垂木掛１１と平行な前側端部の前枠１２と、垂木掛１１および前枠１２の左右端部間に掛け渡された側枠１３と、垂木掛１１および前枠１２の間に側枠１３と平行に掛け渡された垂木１４とを備えている。また、垂木掛１１と、前枠１２と、側枠１３との内側部分には、屋根材１５が設けられている。
【００１４】
図２は、屋根１の軒先側を拡大して示す縦断面図である。
図２に示すように、雨樋部２０は、前枠１２と一体的に形成された軒樋部２１と、軒樋部２１に取り付けられた取付部材２２と、取付部材２２に取り付けられた化粧部材２３と、軒樋部２１の底部から柱４に沿って下方へと延びる竪樋部２４とを備えている。このような雨樋部２０では、屋根本体１０に降り注いだ雨水が傾斜に沿って軒樋部２１へと流れこみ、軒樋部２１で集水された後、竪樋部２４を通って地上へと排水される。
【００１５】
図１に戻って、軒樋部２１は、両側枠１３に亘って前枠１２に沿って延びるように形成されている。また、図２に示すように、軒樋部２１は、前枠１２の前端部１２Ａから、上方に向けて円弧状に湾曲している。
【００１６】
取付部材２２は、軒樋部２１の外周側に設けられている。図３に示すように、取付部材２２は、軒樋部２１の長手方向、すなわち、図３の左右方向に沿って複数個が配置されている。
【００１７】
図２に示すように、各取付部材２２は、軒樋部２１の湾曲部分に沿って湾曲した取付部材本体としての湾曲部２６と、湾曲部２６から軒樋部２１側へ突出した第１の係合片であるＬ字状の内係合片２７と、湾曲部２６の一端側となる上端部から軒樋部２１とは反対側の外周側へ突出した突出部２８と、湾曲部２６の他端側となる下端部から外側上方へと突出した第１の係合片であるＬ字状の外係合片２９とを備えて構成されている。内係合片２７は、軒樋部２１の先端部である上端部２１Ａに係合している。なお、突出部２８と外係合片２９の機能については後述する。
【００１８】
図１に示すように、化粧部材２３は、軒樋部２１の長手方向に沿って延びるように取り付けられている。また、図２に示すように、化粧部材２３は、軒樋部２１の湾曲部分に沿って湾曲した化粧部材本体としての湾曲部３１と、湾曲部３１の一端側となる上端部が取付部材２２側へ突出した第３の係合片としてのＬ字状の上端側係合片３２と、湾曲部３１における上端側係合片３２よりも他端側となる、湾曲部３１の中央部分から取付部材２２側の下方へと突出した第４の係合片としてのＬ字状の中央側係合片３３と、湾曲部３１の一端側となる下端部が曲折し、軒樋部２１の湾曲部２６を覆うように延びる曲折片３４とを備えて構成されている。
【００１９】
湾曲部３１の外周側表面には、種々の色調や、木目調等の様々な模様が施された装飾部３５が例えばラミネート加工で施され、この装飾部３５が外部に露出している。上端側係合片３２は、取付部材２２の突出部２８の上に重なるように配置されて係合し、さらに、上部側から互いを貫通するビスにより固定されている。これにより、化粧部材２１は、取付部材２２を介して、軒樋部２１の雨水の流れに関与しない部分で取り付けられる。中央側係合片３３は、取付部材２２の外係合片２９と噛合するように係合している。
【００２０】
また、化粧部材２３には、その中央部分および下側に、長手方向の端部からビスを挿通させるための挿通部３６がそれぞれ形成されている。これらの挿通部３６にビスが挿通されて、化粧部材２３の長手方向の両端部に、当該端部をそれぞれ被覆するための図示しない端部キャップが取り付けられる。また、図１に示すように、前枠１２および雨樋部２０の両端部側には、当該端部を被覆するためのキャップ３７が設けられている。また、湾曲部３１における挿通部３６間には、軒樋部２１側へ突出する化粧部材２３を補強するためのリブ３８が形成されている。
【００２１】
本実施形態によれば、以下のような効果がある。
(１)軒樋部２１に、外周側表面に模様や色調等が施された装飾部３５がラミネート加工等された化粧部材２３を取り付けるようにしたので、一般的に単一色とされていた軒樋部２１に種々の模様や多様な色調等を施すことができ、軒樋部２１の意匠性を向上できる。これにより、テラス１の外観性を向上できる。
【００２２】
(２)軒樋部２１の外周側に化粧部材２３を取り付けて、軒樋部２１を二重にするような構成としたので、軒樋部２１の断面寸法が大きくなって軒樋部２１の強度が向上し、軒樋部２１の長手方向の中央部分で撓み等が生じることを防止できる。
【００２３】
(３)取付部材２２を介して化粧部材２３を取り付ける構成としたので、例えば、既設の軒樋部２１に取付部材２２や化粧部材２３を取り付けるだけで、軒樋部２１のリフォームを簡単に行うことができる。
【００２４】
(４)取付部材２２の上端部にある突出部２８に、化粧部材２３の上端部にある上端側係合片３２を係合させ、その上部側からビス止めする構成としたので、ビスの頭部が外部から見え難いため、意匠性を損なうことを防止できる。
【００２５】
(５)取付部材２２には、樋軒部２１の上端部に係合する内係合片２７が形成され、また、化粧部材２３には、取付部材２２に係合する上端側係合片３２や中央側係合片３３が形成されているため、これらの係合片２７，３２，３３を係合させるだけで、簡単に位置決めすることできる。
【００２６】
(６)取付部材２２や化粧部材２３を、雨水の流れに関与しない上端部側の端縁で軒樋部２１の湾曲部２６に取り付けたので、これらの取付箇所から雨水が流れ落ちることを防止できる。
【００２７】
［第２実施形態］
次に、本発明の第２実施形態について説明する。なお、以下の各実施形態では、前記第１実施形態と同様または相当する構成品には、同じ符号を付してその説明を省略または簡略化する。図４に示すように、本実施形態の屋根１００は、第１実施形態とは、化粧部材の寸法や、化粧部材や取付部材の取り付け位置などが相違している。以下、これらの相違点を中心に説明する。
【００２８】
屋根１００は、軒樋部２１に取り付けられる取付部材１２２と、取付部材１２２に取り付けられる化粧部材１２３とを備えている。取付部材１２２は、軒樋部２１の中央から底部側にかけて取り付けられている。取付部材１２２は、軒樋部２１の底部にビス止めされている。なお、取付部材１２２のビス止め部分にはシール材（図示略）が設けられており、軒樋部２１から雨水が漏れないようになっている。
【００２９】
化粧部材１２３は、軒樋部２１よりも小さな寸法で形成され、軒樋部２１の下半分側に配置されている。化粧部材１２３の中央側係合片３３は、取付部材１２２の外係合片２９と噛合するように係合している。また、化粧部材１２３の一端部から取付部材１２２側に曲折された一端側取付部１３２は、取付部材１２２の突出部２８と重なり合うように配置され、互いにビス止めされている。このようにして、化粧部材１２３が、軒樋部２１の下半分側を覆うようにして取り付けられている。
【００３０】
本実施形態によれば、第１実施形態の(１)〜(５)と同様の効果に加えて、以下の効果を奏することができる。
(７)化粧部材１２３を湾曲部２６の下半分側に取り付けたので、軒樋部２１の上側半分が湾曲部２６自体の模様となり、軒樋部２１の下側半分が化粧部材１２３の模様となる。このため、軒樋部２１の上側と下側とを異なる模様や色調とすることができ、軒樋部２１の見た目のバリエーションをより一層向上できる。
【００３１】
(８)軒樋部２１の一部に化粧部材１２３が取り付けられるため、軒樋部２１の形状や寸法、柱４の位置などに左右されることなく、異なるタイプの屋根にも同一の化粧部材１２３を適用できる。
【００３２】
［第３実施形態］
次に、本発明の第３実施形態について説明する。図５に示すように、本実施形態の屋根２００は、第１，２実施形態とは、当該屋根２００を支持する柱の位置や、取付部材がない点で主に相違している。以下、これらの相違点を中心に説明する。
【００３３】
本実施形態のテラス５は、屋根２００と、屋根２００を、その前端部から少し後側に下がった部分で支持する柱２０２とを備えている。このように柱２０２が後側に下がっていることにより、例えば、柱の位置が制限される２階部分等に対応できる。
【００３４】
また、屋根２００と柱２０２との間には、傾斜調整用部材２０４が設けられている。傾斜調整用部材２０４は、柱２０２の上端部に設けられた凹部２０６と、凹部２０６に嵌合し回転可能な円柱状の桁２０８とを備えている。凹部２０６には、長孔２０６Ａが形成されている。桁２０８には、取付部２０８Ａ，２０８Ｂが離間した位置に形成されている。一方の取付部２０８Ａは、屋根２００の側枠１３にビス止めされている。他方の取付部２０８Ｂは、長孔２０６Ａを介して凹部２０６にビス止めされている。このため、長孔２０６Ａに沿って桁２０８の向きを調整して適宜ビス止めすることにより、柱２０２に対する屋根２００の傾斜を簡単に調整できる。
【００３５】
屋根２００は、屋根本体１０と、屋根本体１０の前側の縁部に取り付けられる雨樋部２０とを備えている。雨樋部２０は、軒樋部２１と、軒樋部２１の外周側を完全に覆うように配置された化粧部材２１０とを備えている。化粧部材２１０は、軒樋部２１に沿って湾曲して形成された化粧部材本体としての湾曲部２１１と、湾曲部２１１の一端側となる上端部が軒樋部２１側へ折曲した第５の係合片としてのＬ字状の上端側係合片２１２と、湾曲部２１１の他端側となる下端側が曲折して形成された取付部２１３とを備えて構成されている。湾曲部２１１の外側表面には、種々の色調や、木目調等の様々な模様が施された装飾部３５が例えばラミネート加工されている。上端側係合片２１２は、軒樋部２１の上端部２１Ａに係合している。取付部２１３は、前枠１２の下側面にビス止めされている。
【００３６】
本実施形態によれば、前記実施形態の(１)，(２)，(５)と同様の効果に加えて、以下のような効果を奏することができる。
(９)取付部材を設けることなく、直接、化粧部材２１０を軒樋部２１に取り付ける構成としたので、部材点数を減少できるとともに、取り付け作業を簡単にすることができる。
【００３７】
(10)化粧部材２１０を、雨水の流れに関与しない前枠１２の下側面で固定する構造としたので、軒樋部２１に取り付けるための孔等を設ける必要がなく、このような孔から雨水が流れ落ちることを未然に防止できる。
【００３８】
(11)既設の軒樋部２１に化粧部材２１０を取り付けるだけで、軒樋部２１のリフォームを簡単に行うことができる。
【００３９】
［第４実施形態］
次に、本発明の第４実施形態について説明する。図６に示すように、本実施形態の屋根３００は、第３実施形態とは、化粧部材の寸法や取り付け位置、化粧部材と軒樋部との間に取付部材が配置されている点などが相違している。また、屋根３００は、第２実施形態で用いた取付部材１２２および化粧部材１２３と同じものを利用し、同様にして軒樋部２１に取り付けられている。つまり、屋根３００は、軒樋部２１に取り付けられる取付部材１２２と、取付部材１２２に取り付けられる化粧部材１２３とを備え、化粧部材１２３により、軒樋部２１の下半分側が覆われている。本実施形態によれば、前記実施形態の(１)〜(５)，(７)，(８)と同様の効果を奏することができる。
【００４０】
なお、本発明は、前記各実施形態には限定されない。前記各実施形態では、屋根をテラス１に適用したが、これに限らず、例えばカーポートやベランダ等に適用してもよい。
また、前記第１，２，４実施形態では、複数の取付部材を用いて、化粧部材を軒樋部に取り付ける構成としたが、１つの取付部材で化粧部材を取り付ける構成としてもよい。
【００４１】
また、前記実施形態では、化粧部材の形状を、軒樋部の湾曲部分に沿って湾曲した形状としたが、例えば、図７（Ａ），（Ｂ）に示すように、湾曲した形状としなくてもよい。図７は、図２の化粧部材２３を下記化粧部材に変更したものである。すなわち、図７（Ａ）に示すように、化粧部材３２３では、湾曲部３１に相当する本体部３３１を、外側へ向かって突出する断面「く」字状として構成することができる。この場合には、本体部３３１の上端部に前記上端側係合片３２を形成して突出部２８とビス止めし、前記中央側係合片３３を取付部材２２まで延びるように形成して外係合片２９に係合させることにより、化粧部材３２３を取付部材２２に取り付けることができる。また、図７（Ｂ）に示すように、化粧部材４２３では、湾曲部３１に相当する本体部４３１を断面「エ」字状に構成して、その上部と下部に、外側へ突出する突出部４３１Ａを形状してもよい。この場合には、本体部４３１の上端部の内側に前記上端側係合片３２を形成して突出部２８とビス止めし、前記中央側係合片３３を外係合片２９に係合させることにより、化粧部材４２３を取付部材２２に取り付けることができる。このように化粧部材の形状を、前記軒樋部の湾曲部に沿った形状以外とすることができるため、見た目のバリエーションをより一層向上できる。
【図面の簡単な説明】
【００４２】
【図１】本発明の第１実施形態に係る屋根が適用されテラスを示す斜視図である。
【図２】前記屋根の軒先側を拡大して示す縦断面図である。
【図３】前記屋根の軒先側を拡大して示す横断面図である。
【図４】本発明の第２実施形態に係る屋根の軒先側を拡大して示す縦断面図である。
【図５】本発明の第３実施形態に係る屋根の軒先側を拡大して示す縦断面図である。
【図６】本発明の第４実施形態に係る屋根の軒先側を拡大して示す縦断面図である。
【図７】本発明の変形例に係る屋根の軒先側を拡大して示す縦断面図である。
【符号の説明】
【００４３】
３，１００，２００，３００    屋根
１０  屋根本体
１１  垂木掛
１２  前枠
１３  側枠
２０  雨樋部
２１  軒樋部
２１Ａ      上端部
２２，１２２      取付部材
２３，１２３，２１０    化粧部材
２６  湾曲部（取付部材本体）
２７  内係合片（第１の係合片）
２８  突出部
２９  外係合片（第２の係合片）
３１  湾曲部（化粧部材本体）
３２  上端側係合片（第３の係合片）
３３  中央側係合片（第４の係合片）
３５  装飾部
１３２      一端側取付部
２１１      湾曲部
２１２      上端側係合片（第５の係合片）
２１３      取付部
【図１】
2006138158.tif 000003
【図２】
2006138158.tif 000004
【図３】
2006138158.tif 000005
【図４】
2006138158.tif 000006
【図５】
2006138158.tif 000007
【図６】
2006138158.tif 000008
【図７】
2006138158.tif 000009